【誤訳訂正書】
【提出日】令和2年9月2日(2020.9.2)
【誤訳訂正１】
【訂正対象書類名】特許請求の範囲
【訂正対象項目名】全文
【訂正方法】変更
【訂正の内容】
【特許請求の範囲】
【請求項１】
医療機器であって、
撮像ゾーン内の磁気共鳴データを収集する磁気共鳴撮像システムと、
マシン実行可能な命令、第１パルスシーケンスコマンド、第２パルスシーケンスコマンド及び第３パルスシーケンスコマンドを記憶するメモリであって、前記第１パルスシーケンスコマンドは前記磁気共鳴撮像システムにＴ１測定磁気共鳴撮像プロトコルに従って平衡磁化磁気共鳴データを収集させ、前記第２パルスシーケンスコマンドは前記磁気共鳴撮像システムに陽子共鳴周波数シフト磁気共鳴撮像プロトコルに従って動的ＰＲＦＳ磁気共鳴データを収集させ、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記第３パルスシーケンスコマンドが更に前記磁気共鳴撮像システムに各磁気共鳴データ部分の収集の開始時において飽和準備を実行させるメモリと、
当該医療機器を制御するためのプロセッサと、
を有し、前記マシン実行可能な命令の実行が前記プロセッサに、
前記第１パルスシーケンスコマンドを使用して前記磁気共鳴撮像システムを制御することにより平衡磁化磁気共鳴撮像データを収集させ、
前記平衡磁化磁気共鳴撮像データから平衡磁化基準画像を算出させ、
前記マシン実行可能な命令の実行が前記プロセッサに、
前記磁気共鳴撮像システムを前記第２パルスシーケンスコマンドで制御することにより前記動的ＰＲＦＳ磁気共鳴データを収集させ、
前記磁気共鳴撮像システムを前記第３パルスシーケンスコマンドで制御することにより磁気共鳴データ部分を収集させ、その場合において、前記動的ＰＲＦＳ磁気共鳴データ及び前記磁気共鳴データ部分の収集はインターリーブされ、前記磁気共鳴データ部分は前記一組の磁気共鳴データ部分に属し、
完全な組の磁気共鳴データ部分が収集された後に、前記一組の磁気共鳴データ部分を前記動的Ｔ１磁気共鳴データに再構成させ、
前記再構成された動的Ｔ１磁気共鳴データ、及び前記動的ＰＲＦＳ磁気共鳴データが収集される前に収集されたデータから再構築された平衡磁化画像を用いてＴ１マップを算出させ、
前記動的ＰＲＦＳ磁気共鳴データ及び前記Ｔ１マップを用いてＰＲＦＳ位相校正情報を算出させ、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出させる、
ことを繰り返させる、医療機器。
【請求項２】
前記命令の実行が更に前記プロセッサに、
前記磁気共鳴データ部分から動的画像を算出させ、
前記平衡磁化基準画像及び前記動的画像を用いて所定の閾値を超える被検体の動きを検出させ、
前記被検体の動きが検出されたら、前記第１パルスシーケンスコマンドを用いて前記磁気共鳴撮像システムを制御することにより前記平衡磁化磁気共鳴撮像データを再収集させ、
前記被検体の動きが検出されたら、前記平衡磁化磁気共鳴撮像データから前記平衡磁化基準画像を再算出させる、
ことを繰り返させる、請求項１に記載の医療機器。
【請求項３】
前記被検体の動きが、相互相関アルゴリズム、剛体動き検出アルゴリズム、弾性的位置合わせアルゴリズム、オプティカルフローアルゴリズム及びこれらの組合せのうちの何れか１つを用いて検出される、請求項２に記載の医療機器。
【請求項４】
目標ゾーン内の温度を修正するための温度制御システムを更に有し、前記目標ゾーンが前記撮像ゾーン内にある、請求項１、２又は３に記載の医療機器。
【請求項５】
前記温度制御システムが、高密度焦点型超音波システム、ラジオ周波数組織加熱システム、マイクロ波アプリケータ、低温アブレータ及びレーザのうちの何れか１つである、請求項４に記載の医療機器。
【請求項６】
前記マシン実行可能な命令の実行が更に前記プロセッサに、
前記温度制御システムに前記目標ゾーンの温度を修正させる温度制御システムコマンドを受信させ、
前記ＰＲＦＳ温度マップを用いて前記温度制御システムコマンドを繰り返し修正させる、
請求項４又は請求項５に記載の医療機器。
【請求項７】
ディスプレイを備えるユーザインターフェースを更に有し、前記マシン実行可能な命令の実行が更に前記プロセッサに、
前記ディスプレイ上に前記ＰＲＦＳ温度マップを表示させ、
前記ユーザインターフェースからユーザ制御データを受信させ、
前記ユーザ制御データを用いて前記温度制御システムコマンドを修正させる、
請求項６に記載の医療機器。
【請求項８】
前記マシン実行可能な命令の実行が前記プロセッサに、前記温度制御システムを前記温度制御システムコマンドにより制御させる、請求項６又は請求項７に記載の医療機器。
【請求項９】
前記Ｔ１測定磁気共鳴撮像プロトコルが飽和回復ルックロッカー磁気共鳴撮像プロトコルである、請求項１ないし８の何れか一項に記載の医療機器。
【請求項１０】
前記マシン実行可能な命令の実行が、前記平衡磁化磁気共鳴撮像データを収集してから所定の時間間隔後に前記プロセッサに、
前記第１パルスシーケンスコマンドを用いて前記磁気共鳴撮像システムを制御することにより、前記平衡磁化磁気共鳴撮像データを再収集させ、及び
被検体の動きが検出されたら、前記平衡磁化磁気共鳴撮像データから平衡磁化画像を再算出させる、
請求項１ないし９の何れか一項に記載の医療機器。
【請求項１１】
医療機器の作動方法であって、前記医療機器は撮像ゾーン内の磁気共鳴データを収集する磁気共鳴撮像システムを有し、当該方法が、
第１パルスシーケンスコマンドを使用して前記磁気共鳴撮像システムを制御することにより平衡磁化磁気共鳴撮像データを収集するステップであって、前記第１パルスシーケンスコマンドが前記磁気共鳴撮像システムにＴ１測定磁気共鳴撮像プロトコルに従って平衡磁化磁気共鳴データを収集させるステップと、
前記平衡磁化磁気共鳴撮像データから平衡磁化基準画像を算出するステップと、
を有し、
当該方法は更に、
前記磁気共鳴撮像システムを第２パルスシーケンスコマンドで制御することにより動的ＰＲＦＳ磁気共鳴データを収集するステップであって、前記第２パルスシーケンスコマンドが前記磁気共鳴撮像システムに陽子共鳴周波数シフト磁気共鳴撮像プロトコルに従って前記動的ＰＲＦＳ磁気共鳴データを収集させるステップと、
前記磁気共鳴撮像システムを第３パルスシーケンスコマンドで制御することにより磁気共鳴データ部分を収集するステップであって、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記動的ＰＲＦＳ磁気共鳴データ及び前記磁気共鳴データ部分の収集はインターリーブされ、前記磁気共鳴データ部分は前記一組の磁気共鳴データ部分に属し、前記第３パルスシーケンスコマンドが前記磁気共鳴撮像システムに各磁気共鳴データ部分の収集の開始時において飽和準備を実行させるステップと、
完全な組の磁気共鳴データ部分が収集された後に、前記一組の磁気共鳴データ部分を前記動的Ｔ１磁気共鳴データに再構成するステップと、
前記再構成された動的Ｔ１磁気共鳴データ、及び前記動的ＰＲＦＳ磁気共鳴データが収集される前に収集されたデータから再構築された平衡磁化画像を用いてＴ１マップを算出するステップと、
前記動的ＰＲＦＳ磁気共鳴データ及び前記Ｔ１マップを用いてＰＲＦＳ位相校正情報を算出するステップと、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出するステップと、を繰り返し実行することを有する、方法。
【請求項１２】
当該方法が更に、
前記一組の磁気共鳴データ部分から選択された磁気共鳴データ部分から動的画像を算出するステップであって、前記選択された磁気共鳴データ部分が縦磁化を最大にするように選択されるステップと、
前記平衡磁化基準画像及び前記動的画像を用いて所定の閾値を超える被検体の動きを検出するステップと、
前記被検体の動きが検出されたら、前記第１パルスシーケンスコマンドを用いて前記磁気共鳴撮像システムを制御することにより前記平衡磁化磁気共鳴撮像データを再収集するステップと、
前記被検体の動きが検出されたら、前記平衡磁化磁気共鳴撮像データから前記平衡磁化基準画像を再算出するステップと、
を繰り返し実行することを有する、請求項１１に記載の方法。
【請求項１３】
前記被検体の動きが、相互相関アルゴリズム、剛体動き検出アルゴリズム、弾性的位置合わせアルゴリズム、オプティカルフローアルゴリズム及びこれらの組合せのうちの何れか１つを用いて検出される、請求項１２に記載の方法。
【請求項１４】
医療機器を制御するプロセッサにより実行するためのマシン実行可能な命令を有するコンピュータプログラムであって、前記医療機器は撮像ゾーン内の磁気共鳴データを収集する磁気共鳴撮像システムを有し、前記マシン実行可能な命令の実行は前記プロセッサに、
第１パルスシーケンスコマンドを使用して前記磁気共鳴撮像システムを制御することにより平衡磁化磁気共鳴撮像データを収集させ、その場合において、前記第１パルスシーケンスコマンドは前記磁気共鳴撮像システムにＴ１測定磁気共鳴撮像プロトコルに従って平衡磁化磁気共鳴データを収集させ、
前記平衡磁化磁気共鳴撮像データから平衡磁化基準画像を算出させ、
前記マシン実行可能な命令の実行は、前記プロセッサに、
前記磁気共鳴撮像システムを第２パルスシーケンスコマンドで制御することにより動的ＰＲＦＳ磁気共鳴データを収集させ、その場合において、前記第２パルスシーケンスコマンドは前記磁気共鳴撮像システムに陽子共鳴周波数シフト磁気共鳴撮像プロトコルに従って前記動的ＰＲＦＳ磁気共鳴データを収集させ、
前記磁気共鳴撮像システムを第３パルスシーケンスコマンドで制御することにより磁気共鳴データ部分を収集させ、その場合において、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記動的ＰＲＦＳ磁気共鳴データ及び前記磁気共鳴データ部分の収集はインターリーブされ、前記磁気共鳴データ部分は前記一組の磁気共鳴データ部分に属し、前記第３パルスシーケンスコマンドは前記磁気共鳴撮像システムに各磁気共鳴データ部分の収集の開始時において飽和準備を実行させ、
完全な組の磁気共鳴データ部分が収集された後に、前記一組の磁気共鳴データ部分を前記動的Ｔ１磁気共鳴データに再構成させ、
前記再構成された動的Ｔ１磁気共鳴データ、及び前記動的ＰＲＦＳ磁気共鳴データが収集される前に収集されたデータから再構築された平衡磁化画像を用いてＴ１マップを算出させ、
前記動的ＰＲＦＳ磁気共鳴データ及び前記Ｔ１マップを用いてＰＲＦＳ位相校正情報を算出させ、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出させる、
ことを繰り返させる、コンピュータプログラム。
【誤訳訂正２】
【訂正対象書類名】明細書
【訂正対象項目名】００３０
【訂正方法】変更
【訂正の内容】
【００３０】
前記マシン実行可能な命令の実行は、更に、前記プロセッサに、完全な組の磁気共鳴データ部分が収集された後に、前記一組の磁気共鳴データ部分を前記動的Ｔ１磁気共鳴データに繰り返し再構成させる。前記ＰＲＦＳ磁気共鳴データ及び前記磁気共鳴データ部分は交互に収集されるので、最終的に完全な組の磁気共鳴データ部分が収集される。この時点で、これらのデータ部分は完全な動的Ｔ１磁気共鳴データに再構成される。前記マシン実行可能な命令の実行は、更に、前記プロセッサに前記再構成された動的Ｔ１磁気共鳴データ及び前記平衡磁化画像を用いてＴ１マップを算出させる。該Ｔ１マップの計算は、前記平衡磁化画像を用いることにより可能にされる。該平衡磁化画像は、最初のＰＲＦＳ磁気共鳴データが収集される前に収集されたデータから再構築されたものである。
【誤訳訂正３】
【訂正対象書類名】明細書
【訂正対象項目名】００３１
【訂正方法】変更
【訂正の内容】
【００３１】
従って、ＰＲＦＳ磁気共鳴データの収集は、前記平衡磁化基準画像の測定を妨害していない。前記マシン実行可能な命令の実行は、更に、前記プロセッサに前記ＰＲＦＳ磁気共鳴データ及び前記Ｔ１マップを用いてＰＲＦＳ位相校正情報（phasecalibration）を繰り返し算出させる。温度を測定する陽子共鳴周波数シフト法は非常に高速且つ正確であるが、Ｂ０ドリフトに影響され易い。しかしながら、Ｂ０ドリフトは、磁気共鳴データの収集と比較して長い時間尺度で生じるものである。通常のＰＲＦＳ磁気共鳴データの収集の間にＴ１磁気共鳴データを繰り返し収集することにより、前記再構成された磁気共鳴データ部分を、当該ＰＲＦＳ法を周期的に校正するために使用することができる。前記マシン実行可能な命令の実行は、更に、前記プロセッサに、前記ＰＲＦＳ位相校正情報が算出されたなら、前記ＰＲＦＳ磁気共鳴データ及び前記ＰＲＦＳ位相校正情報を用いてＰＲＦＳ温度マップを算出させる。他の例において、最初のＰＲＦＳ位相校正情報は最初のＰＲＦＳ磁気共鳴データを使用することにより計算される。例えば、身体内の温度分布を仮定し、初期校正情報を計算するために使用することができる。例えば、最初の動的ＰＲＦＳ磁気共鳴データを、当該組織の実際の加熱が実行される前に取得することができ、初期ＰＲＦＳ位相校正のために使用することができる。他の例では、Ｔ１データ及び平衡磁化基準画像からの基準磁化を、Ｔ１値から温度を計算するために使用することができ、これが、次いでＰＲＦＳ位相校正情報を初期的に計算するために使用される。
【誤訳訂正４】
【訂正対象書類名】明細書
【訂正対象項目名】００５８
【訂正方法】変更
【訂正の内容】
【００５８】
前記第３パルスシーケンスコマンドは、更に、前記磁気共鳴撮像システムに前記動的Ｔ１磁気共鳴データを一組の磁気共鳴データ部分として連続して収集させる。前記動的ＰＲＦＳ磁気共鳴データ及び前記磁気共鳴データ部分の収集は、インターリーブされる。前記磁気共鳴データ部分は、前記一組の磁気共鳴データ部分に属する。当該方法は、更に、完全な組の磁気共鳴データ部分が収集された後に、前記一組の磁気共鳴データ部分を前記動的Ｔ１磁気共鳴データに繰り返し再構成するステップを有する。当該方法は、更に、前記再構成された動的Ｔ１磁気共鳴データ及び前記平衡磁化画像を用いてＴ１マップを繰り返し算出するステップを有する。
【誤訳訂正５】
【訂正対象書類名】明細書
【訂正対象項目名】００６４
【訂正方法】変更
【訂正の内容】
【００６４】
前記マシン実行可能な命令の実行は、更に、前記プロセッサに、完全な組の磁気共鳴データ部分が収集された後に、前記一組の磁気共鳴データ部分を前記動的Ｔ１磁気共鳴データに再構成させる。前記マシン実行可能な命令の実行は、更に、前記プロセッサに前記再構成された動的Ｔ１磁気共鳴データ及び前記平衡磁化画像を用いてＴ１マップを繰り返し算出させる。前記マシン実行可能な命令の実行は、更に、前記プロセッサに前記動的ＰＲＦＳ磁気共鳴データ及び前記Ｔ１マップを用いてＰＲＦＳ位相校正情報を繰り返し算出させる。前記マシン実行可能な命令の実行は、更に、前記プロセッサに、前記ＰＲＦＳ位相校正情報が算出されたなら、前記動的ＰＲＦＳ磁気共鳴データ及び前記ＰＲＦＳ位相校正情報を用いてＰＲＦＳ温度マップを算出させる。
【誤訳訂正６】
【訂正対象書類名】明細書
【訂正対象項目名】００７４
【訂正方法】変更
【訂正の内容】
【００７４】
コンピュータ記憶部１３０は、第１パルスシーケンスコマンド１４０、第２パルスシーケンスコマンド１４２及び第３パルスシーケンスコマンド１４４を含むように図示されている。第１パルスシーケンスコマンド１４０は、当該磁気共鳴撮像システムに平衡磁化磁気共鳴データをＴ１測定磁気共鳴撮像プロトコルに従って収集させる。第２パルスシーケンスコマンド１４２は、当該磁気共鳴撮像システムに動的ＰＲＦＳ磁気共鳴データを陽子共鳴周波数シフト磁気共鳴撮像プロトコルに従って収集させる。第３パルスシーケンスコマンド１４４は、当該磁気共鳴撮像システムに動的Ｔ１磁気共鳴データ１５４をＴ１測定磁気共鳴撮像プロトコルに従って収集させる。該第３パルスシーケンスコマンド１４４は、更に、当該磁気共鳴撮像システム１０２に動的Ｔ１磁気共鳴データ１５４を一組の磁気共鳴データ部分１５２として連続的に収集させる。コンピュータ記憶部１３０は更に平衡磁化磁気共鳴データ１４８を含むものとして示され、該平衡磁化磁気共鳴データは当該磁気共鳴撮像システム１０２を第１パルスシーケンスコマンド１４０で制御することにより収集されたものである。コンピュータ記憶部１３０は更に動的ＰＲＦＳ磁気共鳴データ１５０を含むものとして示され、該動的ＰＲＦＳ磁気共鳴データは当該磁気共鳴撮像システム１０２を第２パルスシーケンスコマンド１４２で制御することにより収集されたものである。コンピュータ記憶部１３０は更に磁気共鳴データ部分１５２を含むものとして示され、該磁気共鳴データ部分は当該磁気共鳴撮像システム１０２を第３パルスシーケンスコマンド１４４で制御することにより収集されたものである。コンピュータ記憶部１３０は更に再構成動的Ｔ１磁気共鳴データ１５４を含むものとして示され、該再構成動的Ｔ１磁気共鳴データは連続的に収集された磁気共鳴データ部分１５２から再構成されたものである。コンピュータ記憶部１３０は更に平衡磁化基準画像（equilibrium magnetization baseline image）１５６を含むものとして示され、該平衡磁化基準画像は前記平衡磁化磁気共鳴データ１４８から再構築されたものである。コンピュータ記憶部１３０は更にＴ１マップ１５８を含むものとして示され、該Ｔ１マップは前記平衡磁化基準画像１５６及び再構成動的Ｔ１磁気共鳴データ１５４から再構築されたものである。コンピュータ記憶部１３０は更にＰＲＦＳ位相校正情報１６０を含むものとして示され、該ＰＲＦＳ位相校正情報は前記Ｔ１マップ１５８及び動的ＰＲＦＳ磁気共鳴データ１５０から算出されたものである。コンピュータ記憶部１３０は更にＰＲＦＳ温度マップ１６２を含むものとして示され、該ＰＲＦＳ温度マップは前記ＰＲＦＳ位相校正情報１６０及び後に収集された動的ＰＲＦＳ磁気共鳴データ１５０から算出されたものである。
【誤訳訂正７】
【訂正対象書類名】明細書
【訂正対象項目名】００７６
【訂正方法】変更
【訂正の内容】
【００７６】
図２は、図１の医療機器１００を動作させる方法の一例を解説したフローチャートを示す。先ず、ステップ２０２において、プロセッサ１２６は磁気共鳴撮像システム１０２を制御し、該磁気共鳴撮像システム１０２を第１パルスシーケンスコマンド１４０で制御することにより平衡磁化磁気共鳴データ１４８を収集する。次に、ステップ２０４において、平衡磁化基準画像１５６が上記平衡磁化磁気共鳴データ１４８から算出される。次に、ステップ２０６において、動的ＰＲＦＳ磁気共鳴データ１５０が、当該磁気共鳴撮像システム１０２を第２パルスシーケンスコマンド１４２で制御することにより収集される。ステップ２０８においては、磁気共鳴データ部分１５２が当該磁気共鳴撮像システム１０２を第３パルスシーケンスコマンド１４４で制御することにより収集される。上記ＰＲＦＳ磁気共鳴データ１５０及び磁気共鳴データ部分１５２の収集はインターリーブされる。ステップ２１０は判断ボックスである。ステップ２１０に関する質問は、完全な組の磁気共鳴データ部分が収集されたことである。そうでないなら、当該方法は、後に説明するステップ２１８に進む。当該回答がイエスである場合、当該方法はステップ２１２に進む。ステップ２１２において、上記磁気共鳴データ部分の組は動的Ｔ１磁気共鳴データ１５４に再構成される。
【誤訳訂正８】
【訂正対象書類名】明細書
【訂正対象項目名】００７７
【訂正方法】変更
【訂正の内容】
【００７７】
次に、ステップ２１４において、Ｔ１マップが上記の再構成された動的Ｔ１磁気共鳴データ１５４及び平衡磁化基準画像１５６を用いて算出される。次に、ステップ２１６において、ＰＲＦＳ位相校正情報が前記ＰＲＦＳ磁気共鳴データ及びＴ１マップ１５８を用いて算出される。ステップ２１６は、ＰＲＦＳ位相校正情報がＴ１マップ及び平衡磁化基準画像を用いてどの様にして周期的に置換又は再校正されるかを記述する。初期ＰＲＦＳ位相校正を実行することができる種々の異なるやり方が存在する。他の例では、動的ＰＲＦＳ磁気共鳴データが最初に収集された場合、これが校正に使用される。ＰＲＦＳ方法の初期校正は良く知られているので、ここでは詳細に説明しない。ＰＲＦＳ位相校正情報を最初にどの様に計算するかについての多数の変形例を、ここに説明する方法の僅かな修正を行うことにより実行することができる。図２のフローチャートは、ＰＲＦＳ位相校正を、算出されるＴ１マップを用いてどの様に周期的に更新することができるかを解説しようとするものである。
【誤訳訂正９】
【訂正対象書類名】明細書
【訂正対象項目名】０１１５
【訂正方法】変更
【訂正の内容】
【０１１５】
１００    医療機器
１０２    磁気共鳴撮像システム
１０４    磁石
１０６    磁石のボア
１０８    撮像ゾーン
１１０    勾配磁場コイル
１１２    勾配磁石コイル電源
１１４    ラジオ周波数コイル
１１６    ラジオ周波数送受信器
１１８    被検体（被検者）
１２０    被検体サポート
１２２    コンピュータシステム
１２４    ハードウェアインターフェース
１２６    プロセッサ
１２８    ユーザインターフェース
１３０    コンピュータ記憶部
１３２    コンピュータメモリ
１４０    第１パルスシーケンスコマンド
１４２    第２パルスシーケンスコマンド
１４４    第３パルスシーケンスコマンド
１４８    平衡磁化磁気共鳴データ
１５０    動的ＰＲＦＳ磁気共鳴データ
１５２    磁気共鳴データ部分
１５４    再構成動的Ｔ１磁気共鳴データ
１５６    平衡磁化基準画像
１５８    Ｔ１マップ
１６０    ＰＲＦＳ位相校正
１６２    ＰＲＦＳ温度マップ
１７０    制御モジュール
１７２    画像再生モジュール
１７４    画像処理モジュール
１７６    温度マップモジュール
２０２    第１パルスシーケンスコマンドを用いて磁気共鳴撮像システムを制御することにより平衡磁化磁気共鳴撮像データを収集する
２０４    平衡磁化基準画像を平衡磁化磁気共鳴撮像データから算出する
２０６    動的ＰＲＦＳ磁気共鳴データを、磁気共鳴撮像システムを第２パルスシーケンスコマンドで制御することにより収集する
２０８    磁気共鳴データ部分を、磁気共鳴撮像システムを第３パルスシーケンスコマンドで制御することにより収集する
２１０    動的Ｔ１磁気共鳴データの全てのデータ部分が収集されたか？
２１２    完全な組の磁気共鳴データ部分が収集された後に、該磁気共鳴データ部分の組を動的Ｔ１磁気共鳴データに再構成する
２１４    Ｔ１マップを、再構成された動的Ｔ１磁気共鳴データ及び平衡磁化画像を用いて算出する
２１６    ＰＲＦＳ位相校正情報を、ＰＲＦＳ磁気共鳴データ及びＴ１マップを用いて計算する
２１８    ＰＲＦＳ位相校正情報が算出されたら、ＰＲＦＳ温度マップをＰＲＦＳ磁気共鳴データ及びＰＲＦＳ位相校正情報を用いて計算する
２２０    プロトコルは完了したか？
３００    動的画像を磁気共鳴データ部分から計算する
３０２    動きは検出されたか？
３０３    休止する
３０４    被検体の動きが検出されたなら、第１パルスシーケンスコマンドを用いて磁気共鳴撮像システムを制御することにより平衡磁化磁気共鳴撮像データを再収集する
３０６    被検体の動きが検出されたなら、平衡磁化磁気共鳴撮像データから平衡磁化基準画像を再算出する
４００    医療機器
４０２    高密度焦点型超音波システム
４０４    流体充填室
４０６    超音波トランスジューサ
４０８    機構
４１０    機械式アクチュエータ
４１２    超音波の経路
４１４    超音波窓
４１６    ゲルパッド
４１８    超音波照射点
４２０    目標ゾーン
４３０    動的画像
４３２    温度制御システムコマンド
４４０    動き検出モジュール
４４２    温度制御システムコマンド修正モジュール
５００    医療機器
５０１    ラジオ周波数組織加熱システム
５０２    アンテナ
５０４    ラジオ周波数送信器
６００    医療機器
６０１    熱治療システム
６０２    アプリケータ
６０４    供給システム
７００    温度制御システムに目標ゾーンの温度を修正させる温度制御システムコマンドを受信する
７０２    温度制御システムコマンを温度制御システムコマンドで制御する
７０６    温度制御システムコマンドを、ＰＲＦＳ温度マップを用いて修正する
８００    組合せパルスシーケンス
８０２    動的Ｔ１データの収集の説明図
８０４    飽和準備
８０６    データの収集
８０８    空間エンコーディング
９００    平衡磁化磁気共鳴データのｋ空間順序
９０２    動的Ｔ１磁気共鳴データにおける磁気共鳴データ部分のｋ空間順序